(57)【要約】【課題】植毛台を把持して毛体群によって比較的広い汚れ面を清掃することができ、収納溝から取り出した清掃補助体で狭隘部を清掃することができ、未使用時は収納溝が縦方向に向く姿勢に植毛台の姿勢を保持して収納保存することができる清掃用具を提供する。【解決手段】植毛台１の一面に毛体群２を設けてある清掃用具において、柄部３１の一端部に清掃材３２，３３が設けられている清掃補助体３を備え、該清掃補助体３を取出し可能に収納する収納溝１１を植毛台１の他面に設け、収納溝１１が縦方向に向く姿勢に植毛台１を保持する姿勢保持手段として、植毛台１の収納溝１１に沿う方向における端部に、植毛台１の収納溝１１に沿う方向と略直交する一つの平面内に先端が位置するように突条１ｅを設けてある。【選択図】図３
2010184127.tif 000002
【特許請求の範囲】
【請求項１】
植毛台の一面に毛体群を設けてある清掃用具において、柄部の一端部に清掃材が設けられている清掃補助体を備え、該清掃補助体を取出し可能に収納する収納溝を前記植毛台の他面に設け、前記収納溝が縦方向に向く姿勢に前記植毛台を保持する姿勢保持手段を備えていることを特徴とする清掃用具。
【請求項２】
前記姿勢保持手段は、前記植毛台の前記収納溝に沿う方向における端部に、前記植毛台の前記収納溝に沿う方向と略直交する一つの平面内に先端が位置するように設けた保持部材により構成してあることを特徴とする請求項１に記載の清掃用具。
【請求項３】
前記姿勢保持手段は、前記収納溝に収納してある前記清掃補助体の柄部の一端部が下側に位置する姿勢に保持することを特徴とする請求項１又は２に記載の清掃用具。
【請求項４】
前記収納溝に収納してある前記清掃補助体の前記清掃材が前記平面より突出しないように、前記収納溝に沿う方向における前記清掃補助体の位置を規制する規制手段を備えていることを特徴とする請求項２又は３に記載の清掃用具。
【請求項５】
前記清掃材は、前記柄部の前記一端部の先端側方向と毛体とが鋭角をなすように植毛された毛体群であることを特徴とする請求項１から４のいずれか１項に記載の清掃用具。
【請求項６】
前記清掃材は、前記柄部の周方向の２位置に二つ設けられ、毛体の長手方向を異にしてある二つの毛体群であることを特徴とする請求項１から５のいずれか１項に記載の清掃用具。
【請求項７】
一方向に長い形状の植毛台の一面に毛体群を設けてある清掃用具において、柄部の少なくとも一端部に清掃材が設けられている清掃補助体を備え、該清掃補助体を取出し可能に収納する収納溝を前記植毛台の長手方向に沿うように設け、前記植毛台の長手方向が縦方向に向く姿勢に前記植毛台を保持する姿勢保持手段として、前記植毛台の長手方向における端面に、前記植毛台の長手方向と略直交する平面部を備えていることを特徴とする清掃用具。
【発明の詳細な説明】
【技術分野】
【０００１】
本発明は、浴室等を清掃するのに便利な清掃用具に関する。
【背景技術】
【０００２】
浴室等を清掃する清掃用具は、植毛台の一面に毛体群が設けられており、植毛台を把持し、毛体群の先端をタイル等の汚れ面に押し当てて擦ることにより、汚れ面に付着している汚れを落とすものである（特許文献１参照）。
【先行技術文献】
【特許文献】
【０００３】
【特許文献１】特開２００１−３５３１０３号公報
【発明の概要】
【発明が解決しようとする課題】
【０００４】
比較的小形のタイルが敷設されている浴室等を植毛台の一面に毛体群が設けられている清掃用具（以下、ブラシという）で清掃する場合、毛体群の先端部の面積が狭いブラシでは清掃効率が悪く、一方、毛体群の先端部の面積が広いブラシでは、浴室の角部（隅部）、タイルの目地、折りたたみ式の風呂蓋の折り目部分等（以下、狭隘部と総称する）に毛体群を当て難く、狭隘部の汚れを落し難いという問題がある。また、ブラシは毛体群を有するため未使用時の適切な収納保存状態が決めにくいという問題もある。
【０００５】
本発明は、上述したような事情に鑑みてなされたものであり、主たる目的は、植毛台の一面に毛体群を設けてある清掃用具において、柄部の一端部に清掃材が設けられている清掃補助体を備え、清掃補助体を取出し可能に収納する収納溝を植毛台の他面に設け、収納溝が縦方向に向く姿勢に植毛台を保持する姿勢保持手段を備えることにより、植毛台を把持して毛体群によって比較的広い汚れ面を清掃することができ、狭隘部を収納溝から取り出した清掃補助体で清掃することができ、未使用時は収納溝が縦方向に向く姿勢に植毛台の姿勢を保持して収納保存することができる清掃用具を提供することにある。
【０００６】
また、他の目的は、姿勢保持手段は、植毛台の収納溝に沿う方向における端部に、植毛台の収納溝に沿う方向と略直交する一つの平面内に先端が位置するように設けた保持部材により構成することにより、収納溝に清掃補助体を収納させた植毛台の端部に設けた保持部材の先端を下側に位置する姿勢にして植毛台を支持面上に置くだけの簡易な操作で収納溝が縦方向に向く姿勢に保持させることができる清掃用具を提供することにある。
【０００７】
また、他の目的は、姿勢保持手段は、収納溝に収納してある清掃補助体の清掃材を設けた柄部の一端部が下側に位置する姿勢に保持することにより、清掃材を設けた清掃補助体を収納する収納溝の部分を大部に形成した植毛台の端部が下側に位置し、重心位置が安定した姿勢で植毛台を保持させることができる清掃用具を提供することにある。
【０００８】
また、他の目的は、収納溝に収納してある清掃補助体の清掃材が保持部材の先端が位置する一つの平面より突出しないように、収納溝に沿う方向における清掃補助体の位置を規制する規制手段を備えることにより、植毛台の端部に設けた保持部材の先端が下側に位置したときに、該保持部材の先端から清掃材が下側に突出せず、円滑に収納溝が縦方向に向く姿勢に保持させることができる清掃用具を提供することにある。
【０００９】
また、他の目的は、清掃材は、柄部の一端部の先端側方向と毛体とが鋭角をなすように植毛された毛体群であることにより、柄部の一端部の先端側方向と鋭角をなす毛体を狭隘部に向けて、狭隘部の汚れを良好に落すことができる清掃用具を提供することにある。
【００１０】
また、他の目的は、清掃材は、柄部の周方向の２位置に二つ設けられ、毛体の長手方向を異にしてある二つの毛体群であることにより、狭隘部の位置、広さ及び汚れ度合いに応じて一方の毛体群又は他方の毛体群を選択し、狭隘部の汚れを良好に落すことができる清掃用具を提供することにある。
【００１１】
また、他の主たる目的は、一方向に長い形状の植毛台の一面に毛体群を設けてある清掃用具において、柄部の少なくとも一端部に清掃材が設けられている清掃補助体を備え、該清掃補助体を取出し可能に収納する収納溝を前記植毛台の長手方向に沿うように設け、前記植毛台の長手方向が縦方向に向く姿勢に前記植毛台を保持する姿勢保持手段として、前記植毛台の長手方向における端面に、前記植毛台の長手方向と略直交する平面部を備えることにより、一方向に長い形状の植毛台を把持して毛体群によって比較的広い汚れ面を清掃することができ、植毛台の長手方向に沿うように設けた収納溝から取り出した清掃補助体で狭隘部を清掃することができ、未使用時は収納溝に清掃補助体を収納させた植毛台の長手方向における端面に備えた平面部を下側に位置する姿勢にして植毛台を支持面上に置くだけの簡易な操作によって、植毛台の長手方向が縦方向に向く姿勢に植毛台の姿勢を保持することができる清掃用具を提供することにある。
【課題を解決するための手段】
【００１２】
第１発明に係る清掃用具は、植毛台の一面に毛体群を設けてある清掃用具において、柄部の一端部に清掃材が設けられている清掃補助体を備え、該清掃補助体を取出し可能に収納する収納溝を前記植毛台の他面に設け、前記収納溝が縦方向に向く姿勢に前記植毛台を保持する姿勢保持手段を備えていることを特徴とする。
【００１３】
第１発明にあっては、一面に毛体群を設けてある植毛台の他面に設けた収納溝に、柄部の一端部に清掃材が設けられている清掃補助体を収納するので、毛体群の先端面積を比較的広くすることができる。従って、比較的広い汚れ面を清掃する場合は、収納溝に収納した清掃補助体が収納溝に沿う方向に移動しないように位置を規制した状態で植毛台を把持し、毛体群を汚れ面に当てて効率よく清掃することができ、狭隘部を清掃する場合は、収納溝から取り出した清掃補助体の柄部を把持し、清掃材を狭隘部に当てて該狭隘部の汚れを容易に落すことができ、従って、植毛台に植毛した毛体群と清掃補助体に設けた清掃材とにより汚れ面の全体を効率よく清掃することができる。さらに、姿勢保持手段によって、収納溝が縦方向に向く姿勢に植毛台を保持することができるので、未使用時は収納溝が縦方向に向く姿勢に植毛台を立てて、毛体群に負荷が加わらず水切りできる状態で適切に収納保存することができる。
【００１４】
第２発明に係る清掃用具は、前記姿勢保持手段は、前記植毛台の前記収納溝に沿う方向における端部に、前記植毛台の前記収納溝に沿う方向と略直交する一つの平面内に先端が位置するように設けた保持部材により構成してあることを特徴とする。
【００１５】
第２発明にあっては、植毛台の収納溝に沿う方向における端部に設けた保持部材の先端が、収納溝に沿う方向と略直交する一つの平面内に位置するので、収納溝に清掃補助体を収納させた植毛台の端部に設けた保持部材の先端を下側に位置する姿勢にして植毛台を支持面上に置いたときに、該保持部材の先端は支持面上に当接し、植毛台を収納溝が支持面に略直交し縦方向に向く姿勢に保持させることができる。
【００１６】
第３発明に係る清掃用具は、前記姿勢保持手段は、前記収納溝に収納してある前記清掃補助体の柄部の一端部が下側に位置する姿勢に保持することを特徴とする。
【００１７】
第３発明にあっては、収納溝に収納してある清掃補助体の清掃材を設けた柄部の一端部が下側に位置する姿勢に植毛台を保持するので、清掃補助体の清掃材を収納するために収納溝の部分を大部に形成した植毛台の端部が下側に位置し、その結果、植毛台及び収納した清掃補助体の重心位置が下側に位置した安定姿勢に植毛台を保持させることができる。
【００１８】
第４発明に係る清掃用具は、前記収納溝に収納してある前記清掃補助体の前記清掃材が前記平面より突出しないように、前記収納溝に沿う方向における前記清掃補助体の位置を規制する規制手段を備えていることを特徴とする。
【００１９】
第４発明にあっては、収納溝に収納してある清掃補助体の清掃材が植毛台の端部に設けた保持部材の先端が位置する一つの平面より突出しないので、植毛台の端部に設けた保持部材の先端が下側に位置したときに、該保持部材の先端から清掃材が下側に突出せず、清掃材によって妨げられることなく円滑に収納溝が縦方向に向く姿勢に保持させることができる。
【００２０】
第５発明に係る清掃用具は、前記清掃材は、前記柄部の一端部の先端側方向と毛体とが鋭角をなすように植毛された毛体群であることを特徴とする。
【００２１】
第５発明にあっては、柄部の一端部の先端側方向に対して鋭角をなす毛体を狭隘部に向けて、狭隘部の汚れを良好に落すことができる。
【００２２】
第６発明に係る清掃用具は、前記清掃材は、前記柄部の周方向の２位置に二つ設けられ、毛体の長手方向を異にしてある二つの毛体群であることを特徴とする。
【００２３】
第６発明にあっては、柄部の周方向の２位置に毛体の長手方向を異にするように設けた二つの毛体群を狭隘部の位置、広さ及び汚れ度合いに応じて選択し、狭隘部の汚れを良好に落すことができる。
【００２４】
第７発明に係る清掃用具は、一方向に長い形状の植毛台の一面に毛体群を設けてある清掃用具において、柄部の少なくとも一端部に清掃材が設けられている清掃補助体を備え、該清掃補助体を取出し可能に収納する収納溝を前記植毛台の長手方向に沿うように設け、前記植毛台の長手方向が縦方向に向く姿勢に前記植毛台を保持する姿勢保持手段として、前記植毛台の長手方向における端面に、前記植毛台の長手方向と略直交する平面部を備えていることを特徴とする。
【００２５】
第７発明にあっては、一方向に長い形状の植毛台の他面に植毛台の長手方向に沿うように設けた収納溝に、柄部の少なくとも一端部に清掃材が設けられている清掃補助体を収納するので、植毛台の一面に設けてある毛体群の先端面積を比較的広くすることができる。従って、比較的広い汚れ面を清掃する場合は、植毛台を把持し、毛体群を汚れ面に当てて効率よく清掃することができ、狭隘部を清掃する場合は、収納溝から取り出した清掃補助体の柄部を把持し、柄部の少なくとも一端部に設けた清掃材を狭隘部に当てて該狭隘部の汚れを容易に落すことができ、従って、植毛台に植毛した毛体群と清掃補助体に設けた清掃材とにより汚れ面の全体を効率よく清掃することができる。さらに、未使用時は収納溝に清掃補助体を収納し、植毛台の長手方向における端面に植毛台の長手方向と略直交するように備えた平面部を支持面上に置くことによって、植毛台の長手方向が縦方向に向く姿勢に植毛台を立てて保持することができるので、毛体群に負荷が加わらず水切りできる状態で適切に収納保存することができる。
【発明の効果】
【００２６】
第１発明によれば、植毛台を把持して毛体群によって比較的広い汚れ面を清掃することができ、収納溝から取り出した清掃補助体で狭隘部を清掃することができ、汚れ面の全体を効率よく清掃することができるとともに、未使用時は収納溝が縦方向に向く姿勢に植毛台を立てて、毛体群に負荷が加わらず水切りできる状態で適切に収納保存することができる清掃用具が提供される。
【００２７】
第２発明によれば、植毛台の端部に設けた保持部材の先端を下側に位置する姿勢にして植毛台を支持面上に置くだけの簡易な操作で収納溝が縦方向に向く姿勢に保持させることができる清掃用具が提供される。
【００２８】
第３発明によれば、清掃材を設けた清掃補助体を収納する収納溝の部分を大部に形成した植毛台の端部が下側に位置し、重心位置が安定した姿勢で植毛台を保持させることができる清掃用具が提供される。
【００２９】
第４発明によれば、植毛台の端部に設けた保持部材の先端が下側に位置したときに、該保持部材の先端から清掃材が下側に突出せず、円滑に収納溝が縦方向に向く姿勢に保持させることができる清掃用具清掃用具が提供される。
【００３０】
第５発明によれば、柄部の一端部の先端側方向に対して鋭角をなす毛体を狭隘部に向けて、狭隘部の汚れを良好に落すことができる清掃用具が提供される。
【００３１】
第６発明によれば、狭隘部の位置、広さ及び汚れ度合いに応じて、毛体の長手方向を異にする二つの毛体群の一方の毛体群又は他方の毛体群を選択し、狭隘部の汚れを良好に落すことができる清掃用具が提供される。
【００３２】
第７発明によれば、植毛台を把持して毛体群によって比較的広い汚れ面を清掃することができ、収納溝から取り出した清掃補助体で狭隘部を清掃することができ、汚れ面の全体を効率よく清掃することができるとともに、未使用時は、植毛台の長手方向における端面に備えた平面部を下側に位置する姿勢にして植毛台を支持面上に置くだけの簡易な操作により植毛台の長手方向が縦方向に向く姿勢に植毛台を立てて、毛体群に負荷が加わらず水切りできる状態で適切に収納保存することができる清掃用具が提供される。
【図面の簡単な説明】
【００３３】
【図１】本発明に係る清掃用具の構成を示す正面図である。
【図２】本発明に係る清掃用具の構成を示す平面図である。
【図３】図２のＩＩＩ−ＩＩＩ線における断面図である。
【図４】本発明に係る清掃用具の構成を示す底面図である。
【図５】本発明に係る清掃用具の構成を示す左側面図である。
【図６】本発明に係る清掃用具の清掃補助体を取り出した状態の斜視図である。
【図７】本発明に係る清掃用具の清掃補助体の構成を示す平面図である。
【図８】本発明に係る清掃用具の植毛台の構成を示す平面図である。
【図９】図７のＩＸ−ＩＸ線における断面図である。
【図１０】図８のＸ−Ｘ線における断面図である。
【図１１】本発明に係る清掃用具を立てた状態の正面図である。
【発明を実施するための形態】
【００３４】
以下、本発明に係る清掃用具の実施の形態を図面に基づいて説明する。図１は本発明に係る清掃用具を示す正面図、図２は平面図、図３は図２のＩＩＩ−ＩＩＩ線における断面図、図４は底面図、図５は左側面図、図６は清掃補助体を取り出した状態の斜視図、図７は清掃補助体の平面図、図８は植毛台の平面図、図９は図７のＩＸ−ＩＸ線における断面図、図１０は図８のＸ−Ｘ線における断面図である。
【００３５】
本発明に係る清掃用具は、横長の略直方体の外形をなす植毛台１と、該植毛台１の底面に植毛されてなる第１の毛体群２と、柄部３１及び該柄部３１の一端部に第２及び第３の毛体群３２，３３が植毛されており、後記する収納溝１１に取出し可能に収納される清掃補助体３とを備える。
【００３６】
植毛台１は、第１の毛体群２を設けてある台板１ａと、該台板１ａの全周面に上側から外嵌し、中央部に長手方向に沿って収納溝１１を形成した把持体１ｂとにより構成されている。把持体１ｂは、長手方向の一端部及び中央部が略同一高さであり、中央部に比べて他端部側の高さが漸次低く形成されている。その結果、収納溝１１は植毛台１の前記一端部に近くなるに従って漸次深くなっている。把持体１ｂは、前記一端部及び中央部が略同一の奥行き寸法であり、中央部に比べて前記他端部側の奥行き寸法が漸次小さくなるように形成してある。把持体１ｂの全周側面及び上面は外向きに凸となるように湾曲し、全長に亘って把持し易い形状にしてある。
【００３７】
植毛台１の前記一端部には、収納溝１１の底部及び台板１ａを切り欠いた切欠部１２が形成されている。収納溝１１の底部の切欠部１２側の端部は、切欠部１２に向かって下側に傾いた傾斜面１ｆに形成してある。第１の毛体群２は裾側が広がった形状をなし、切欠部１２に対応する箇所は毛体が存在しない非毛領域１４としてある。
【００３８】
植毛台１の前記他端部側の収納溝１１の底部には、平面視にて収納溝１１の溝幅方向に沿った寸法を収納溝１１の長手方向に沿った寸法より大に形成し、角部を丸くした略長方形状の突起１ｃが立設されている。植毛台１の前記一端部側の収納溝１１の端部の傾斜面１ｆには、切欠部１２の方に突出する突出部分を設け、該突出部分の切欠部１２側の端部に段部１ｄを形成している。該段部１ｄは、上側ほど切欠部１２の方への突出量が大となるテーパ状に形成してある。
【００３９】
植毛台１の前記一端部側の把持体１ｂは切欠部１２を挟んで位置する２つの部分を有しており、該各部分の端面には夫々、収納溝１１の底部面に略直交する方向に沿い互いに平行な直線状をなす突条１ｅ，１ｅを形成してある。該２つの突条１ｅ，１ｅは突条に直交する断面が外向き凸の曲面に形成されている。２つの突条１ｅ，１ｅの収納溝１１に沿う方向（長手方向）の端部は、収納溝１１に沿う方向に略直交する一つの平面内に位置している。
【００４０】
植毛台１の台板１ａ及び把持体１ｂは共にポリプロピレン等の樹脂材料を成形した成形品であり、第１の毛体群２はポリプロピレン等の樹脂材料を繊維状に形成したもので構成してあるが、これらの材料に限るものではない。
【００４１】
清掃補助体３は、一端部側に形成した扁平な四角柱部分及び該四角柱部分に連なって他端部側に伸び、該四角柱部分よりも肉厚に形成した握り部分を有する柄部３１を備え、該柄部３１の前記扁平な四角柱部分の一面に複数本の毛体が植毛されている第２の毛体群３２を備える。第２の毛体群３２は柄部３１の長手方向と略直交するように植毛されている。柄部３１の前記扁平な四角柱部分の一面とは反対側の面は、柄部３１の長手方向に沿った略三角柱を形成するように膨出され、この略三角柱状の膨出部３１ａの２つの斜面のうち前記他端部より遠い方に位置する斜面に、複数本の毛体が植毛されている第３の毛体群３３が設けられている。第３の毛体群３３は柄部３１の一端部の先端側方向と毛体とが鋭角（４５度程度）をなすように植毛されており、第２及び第３の毛体群３２，３３の毛体は毛体の長手方向を異にしてある。第３の毛体群３３は、柄部３１の幅方向の寸法が基端部側に同幅の部分を有し、該同幅部分より先端部の両側が斜めにカットされ、先端が尖っている。
【００４２】
第２の毛体群３２及び第３の毛体群３３は、ポリプロピレン、ＰＥＴ等の樹脂材料を繊維状に形成したもので構成してあるが、これらの材料に限るものではない。また、第２の毛体群３２及び第３の毛体群３３の毛体の繊維径は、第１の毛体群２の繊維径より細く形成して、当たりを柔らかくしている。
【００４３】
柄部３１の前記握り部分には、第３の毛体群３３が位置する側に開放された凹溝３１ｄが形成されており、この凹溝３１ｄ内の前記他端部寄りに開放側に向けて突出した突起３１ｂが立設されている。該突起３１ｂは、平面視にて凹溝３１ｄの溝幅方向に沿った寸法を凹溝３１ｄの長手方向に沿った寸法より大に形成した略長方形に形成され、両端部は凹溝３１ｄの横壁に連なっている。また、膨出部３１ａには、第３の毛体群３３を設けていい方の斜面をくり抜いて凹部を形成し、該凹部の内面に、柄部３１の他端部に向いた面を有する段部３１ｃを形成している。柄部３１の横幅寸法は、植毛台１の収納溝１１の横幅寸法より少し大きめに形成してある。これにより、柄部３１は収納溝１１の内壁に当接して拘束される。
【００４４】
清掃補助体３を植毛台１の収納溝１１に収納させるときは、植毛台１の段部１ｄに柄部３１の段部３１ｃを係合させてから、収納溝１１内の突起１ｃの外側面（植毛台１の他端部側に向いた側面）に、柄部３１の突起３１ｂの内側面（植毛台１の一端部側に向いた側面）を当接させて該面に沿って押し込んで係合させる。これにより、収納溝１１に収納した清掃補助体３が収納溝１１に沿う方向に動かないように規制される。この植毛台１の段部１ｄに柄部３１の段部３１ｃが係合し、収納溝１１内の突起１ｃに柄部３１の突起３１ｂが係合した状態で、第２の毛体群３２が植毛台１から外部へ突出しないように、柄部３１及び第２の毛体群３２の寸法を決めてある。
【００４５】
以上のように構成された清掃用具は、植毛台１の収納溝１１に清掃補助体３が収納されている。この清掃補助体３は柄部３１が収納溝１１に保持され、第３の毛体群３３が貫通凹部１２を経て第１の第１の毛体群２の空洞１４に収納され、第２の毛体群３２が収納溝１１の開放側に露出している。このような清掃補助体３が収納されている植毛台１の把持体１ｂを片手で把持し、第１の毛体群２の先端を比較的広い汚れ面に当てて擦ることにより、汚れ面に付着している汚れを落すことができる。
【００４６】
また、狭隘部を清掃する場合は、清掃補助体３を植毛台１の収納溝１１から取り出し、該清掃補助体３の柄部３１を把持して第２の毛体群３２又は第３の毛体群３３の先端を狭隘部に当てて擦ることにより、狭隘部の汚れを容易に落すことができる。このとき、第３の毛体群３３は柄部３１の長手方向外方に傾斜し、さらに先端が尖っているため、柄部３１の一端部に邪魔されずに狭隘部の汚れを容易に落すことができる。
【００４７】
また、清掃用具を収納保存するときは、清掃用具を立てて保存することができる。図１１は本発明に係る清掃用具を立てた状態の正面図である。収納溝１１が縦方向に向く姿勢に把持して植毛台１の一端側の端面に設けた突条１ｅ，１ｅの先端が水平な支持面５上に載置されるようにすることにより、清掃用具は収納溝１１が縦方向に向く姿勢に保持される。この保持姿勢では、清掃補助体３の第３の毛体群３３の毛先はほとんど突条１ｅ，１ｅの先端より下側に出ていないし、また一部出たとしても毛体は柔らかいので、第３の毛体群３３が姿勢保持の邪魔になることはない。さらに、清掃補助体３の第２および第３の毛体群３２，３３を収納するために大部に形成された植毛台１の収納溝１１の部分が下側に位置しているので、重心位置が下側に位置し安定した保持姿勢となる。
【００４８】
以上説明した実施の形態では、柄部３１の一端部に第２及び第３の毛体群３２，３３が設けられている清掃補助体３を備える構成としたが、その他、柄部３１の一端部に第２の毛体群３２又は第３の毛体群３３が設けられている清掃補助体３を備える構成であってもよい。また、清掃補助体３の清掃材は、毛体群である他、不織布、スポンジ等であってもよい。
【００４９】
以上説明した実施の形態では、規制手段を、収納溝１１の内部に設けた突起１ｃ及び段部１ｄ（係合凸部）と、柄部３１に設けた突起３１ｂ及び段部３１ｃ（係合凸部）とにより構成したが、これに限るものではない。規制手段を、収納溝１１の内部（又は柄部３１）に設けた突起と、これに係止すべく柄部３１（又は収納溝１１の内部）に設けた係止穴とにより構成してもよい。
【００５０】
以上説明した実施の形態では、姿勢保持手段を、植毛台１の一端部側の端面に設けた突条１ｅ，１ｅにより構成したが、これに限るものではなく、植毛台１の一端部側の端面に離散させて設けた複数の突起、又は、該端面に設けた平面部により構成してもよい。
【符号の説明】
【００５１】
１      植毛台
１ｃ    突起（規制手段）
１ｄ    段部（規制手段）
１ｅ    突条（保持部材、姿勢保持手段）
１１    収納溝
２      第１の毛体群（毛体群）
３      清掃補助体
３１    柄部
３１ｂ  突起（規制手段）
３１ｃ  段部（規制手段）
３２    第２の毛体群（清掃材）
３３    第３の毛体群（清掃材）
【図１】
2010184127.tif 000003
【図２】
2010184127.tif 000004
【図３】
2010184127.tif 000005
【図４】
2010184127.tif 000006
【図５】
2010184127.tif 000007
【図６】
2010184127.tif 000008
【図７】
2010184127.tif 000009
【図８】
2010184127.tif 000010
【図９】
2010184127.tif 000011
【図１０】
2010184127.tif 000012
【図１１】
2010184127.tif 000013